(57)【特許請求の範囲】
【請求項１】
ベース（６０）と、ベース（６０）上に移動自在に載置されるとともに眼科測定本体（５０）と、眼科測定本体（５０）をベース（６０）に対してロックするためのストッパーピン（７０）と、該ストッパーピン（７０）を支持するストッパーピン支持手段（８０）を備え、
眼科測定本体（５０）の底壁（５１）には、第１貫通穴（５３）が形成されるとともに、該第１貫通穴（５３）に内ネジ（５４）が形成され、
ベース（６０）の上壁（６１）には、第１貫通穴（５３）に対応する位置に第２貫通穴（６３）が形成され、
ストッパーピン（７０）は、第１貫通穴（５３）と第２貫通穴（６３）の両者に挿通するロック位置と、その上端部が第１貫通穴（５３）から抜け出るアンロック位置との間で、上下移動可能に配置され、かつ、その上端部には、ロック時に第１貫通穴（５３）の内ネジ（５４）に螺合する外ネジ（７５）が形成され、そのピン中心部には中心盲穴（７８）が下方から形成され、
ストッパーピン支持手段（８０）は、ストッパーピン（７０）の中心盲穴（７８）に下方から挿通可能な垂直挿入部（８２）を有して、アンロック時のストッパーピン（７０）を支持するストッパーピン受け部材（８０）よりなることを特徴とする眼科測定装置。
【請求項２】
ストッパーピン受け部材（８０）は、略Ｌ字状であって、ベース（６０）から延在して垂直挿入部（８２）を直立支持する支持部（８３）をさらに備えることを特徴とする請求項１記載の眼科測定装置。
【請求項３】
ストッパーピン（７０）の上端部は、アンロック位置で、第２貫通穴（６３）の中に存することを特徴とする請求項２記載の眼科測定装置。
【発明の詳細な説明】
【０００１】
【発明の属する技術分野】
本発明は、ケラトメータ、レフラクトメータ、レフラクト・ケラトメータ、あるいは眼底カメラ等の眼科測定装置に関し、さらに詳しくは、眼科測定本体をベースに対してロック状態にすることができるストッパー構造を備える眼科測定装置に関する。
【０００２】
【従来の技術】
この種の眼科測定装置は、図１(Ａ）の正面図に示すように、眼科測定本体１０がベース２０上に載置されるとともにベース２０に対して移動自在となるように構成されている。眼科測定装置を移動したり搬送したりするときに、眼科測定本体１０がベース２０に対して動くことがないように、図１（Ｂ）の要部拡大一部破断図に示すような、ストッパーピン１を用いたストッパー構造３０が眼科測定本体１０とベース２０との間に設けられている。
【０００３】
図１（Ａ）及び（Ｂ）において、眼科測定本体１０は、光学測定部３１、モニター３２、ジョイスティック３３及び不図示の演算処理部等の眼科測定に必要な要素を内蔵しており、ベース２０に面する底壁１１は、案内ガイド部１２を備えている。案内ガイド部１２は、ストッパーピン１を収納するとともに、その下壁にはストッパーピン１の先端を出し入れするための貫通穴を有する。
【０００４】
図2のストッパー構造３０を示す要部断面図に示すように、ベース２０の上壁２１に形成された第１貫通穴２３にナット部２２が固定されている。そして、ナット部２２の内面には内ネジ２４が形成されている。
【０００５】
ストッパーピン１は、図2に示すように、円柱体が多段に積み重ねられた段差構造をしており、眼科測定本体１０の案内ガイド部１２内で上下に移動自在であるように装着されている。ストッパーピン１は、上から順に、それぞれ、使用者が操作する操作ノブ２と、案内ガイド部１２の内面と摺動しながら上下動する摺動部３と、付勢バネ７を係止するための係止部８と、ストッパーピン１の押し込み量を規定するストローク部４と、外面に外ネジ６が形成されたネジ突起５とから構成されている。そして、ロックを解除して眼科測定本体１０をベース２０に対して前後・左右に移動させる際に、ネジ突起５がベース２０の上壁２１に当らないようにストッパーピン１を持ち上げ、その状態を保持する必要がある。したがって、眼科測定本体１０の底壁１１とストッパーピン１の摺動部３との間には、付勢コイルバネ７が設けられている。
【０００６】
次に、このようなストッパー構造３０において、ベース２０に対する眼科測定本体１０のロック方法を図２にしたがって説明する。
【０００７】
眼科測定本体１０のネジ突起５がベース２０のナット部２２と対応するように、眼科測定本体１０が位置決めされる。使用者が付勢コイルバネ７のバネ力に抗しながらストッパーピン１の操作ノブ２を押し下げると、ストッパーピン１の下端に設けられたネジ突起５が、ナット部２２の内ネジ２４に当接する。そして、下向きの力を加えながら操作ノブ２を回転させると、ネジ突起５の外ネジ６がナット部２２の内ネジ２４と螺合して、眼科測定本体１０はベース２０に対してロック状態となって固定される。逆に、使用者が操作ノブ２を螺合時と反対方向に回転させると、ネジ突起５とナット部２２との間の螺合が解除される。このとき、使用者が操作ノブ２から手を離すと、ストッパーピン１は、付勢コイルバネ７のバネ力によって持ち上げられ、摺動部３が案内ガイド部１２の上部のストッパ面で係止されることによって、アンロック状態が保持されている。
【０００８】
しかしながら、上記ストッパー構造３０には、以下に述べるような問題点があった。すなわち、ロックを解除したときにストッパーピン１のネジ突起５が下がってベース２０の上壁２１に接触することがないように、ストッパーピン１が持ち上げられた状態を保持するための付勢コイルバネ７等のロック解除保持手段を設ける必要がある。このようなロック解除保持手段をストッパー構造３０内に設けることは、部品点数、及び組立て・調整工数の増加を招く。それとともに、ロック解除保持手段の設置場所を必要とするためにストッパー構造３０が大型化するので、ストッパー構造３０の設置場所の制限を受けること、あるいは装置の小型化が難しいこと等の問題があった。
【０００９】
【発明が解決しようとする課題】
したがって、本発明の解決すべき技術的課題は、光学特性を測定するときに、付勢コイルバネ等のアンロック保持手段を用いることなく、アンロック状態を保持することができるストッパー構造を備えた眼科測定装置を提供することである。
【００１０】
【課題を解決するための手段及び作用・効果】
上述の技術的課題を解決するために、本発明に係る眼科測定装置は、以下の特徴を有する。
【００１１】
すなわち、ベースと、ベース上に移動自在に載置されるとともに眼科測定本体と、眼科測定本体をベースに対してロックするためのストッパーピンと、ストッパーピンを支持するストッパーピン支持手段を備え、眼科測定本体の底壁には、第１貫通穴が形成されるとともに、第１貫通穴に内ネジが形成され、ベースの上壁には、第１貫通穴に対応する位置に第２貫通穴が形成され、ストッパーピンは、第１貫通穴と第２貫通穴の両者に挿通するロック位置と、その上端部が第１貫通穴から抜け出るアンロック位置との間で、上下移動可能に配置され、かつ、その上端部には、ロック時に第１貫通穴の内ネジに螺合する外ネジが形成され、そのピン中心部には中心盲穴が下方から形成され、ストッパーピン支持手段は、ストッパーピンの中心盲穴に下方から挿通可能な垂直挿入部を有して、アンロック時のストッパーピンを支持するストッパーピン受け部材よりなることを特徴とする。
【００１２】
上記装置によれば、ロック時に第１貫通穴の内ネジに螺合していた外ネジの螺合を解除すると、ストッパーピンが自重によって落下し、落下したストッパーピンがストッパーピン受け部材によって支持される。したがって、付勢コイルバネ等のアンロック保持手段を用いることなく、アンロック状態を保持することができる。付勢コイルバネ等のアンロック保持手段が不要となってストッパー構造が簡略化されるので、部品点数、及び組立て・調整工数を減らすことができるとともに、その設置場所も不要となるので、ストッパー構造の設置場所の制限を受けないこと、及び装置の小型化を図ることができる。また、垂直挿入部は、ストッパーピンを第１貫通穴及び第２貫通穴に挿通する時のガイドとしても用いることができるので、その挿通操作が容易になる。
【００１３】
好ましくは、ストッパーピン受け部材は、Ｌ字状であって、ベースから延在して垂直挿入部を直立支持する支持部をさらに備える。
【００１４】
上記構成によれば、ストッパーピン受け部材の支持部は、アンロックしたあと自重によって落下したストッパーピンを受け止める落下防止手段として働く。そして、ストッパーピンは、ベースから棒状に延在する支持部のみで支持され、その他の部分がフリーであるので、ストッパーピンを把持することができる範囲が極めて広くなっている。したがって、ストッパーピンが把持しやすくなって、ストッパーピンの装着性が向上する。
【００１５】
好ましくは、ストッパーピンの上端部は、アンロック位置で、第２貫通穴の中に存する。
【００１６】
上記構成によれば、ストッパーピンの上端部及び下端部が、それぞれ、第２貫通穴及び垂直挿入部でガイドされるので、さらにストッパーピンの装着性が向上する。
【００１７】
【発明の実施の形態】
以下に、本発明の好適な一実施形態について、図３及び図４を参照して以下に詳細に説明する。
【００１８】
図３（Ａ）は、眼科測定装置としてのレフラクト・ケラトメータに設けられたストッパー構造９０を示す正面図である。このレフラクト・ケラトメータは、いずれも光学測定部９１、ディスプレイ９２、及びジョイスティック９３等の眼科測定機能が内蔵されている眼科測定本体５０と、眼科測定本体５０を移動自在に支持するための土台であってテーブル等の台上に据え置かれるベース６０とから構成されている。図３（Ｂ）の要部拡大一部破断図に示すように、ストッパー構造９０が眼科測定本体５０とベース６０との間に設けられている。
【００１９】
図４は、眼科測定装置に設けられたストッパー構造９０を示す要部断面図である。図４に示すように、眼科測定本体５０は、ベース６０に対して前後、左右に移動自在の不図示の移動機構を内蔵しており、検者が眼科測定本体５０に設けられたジョイスティック９３を操作することによって、光学測定部９１が被検眼に対して合照準及び合焦するように位置決めされる。眼科測定本体５０の底壁５１には第１貫通穴５３が設けられている。第１貫通穴５３は、所定の大きさに開けられた穴であって、その内面には内ネジ５４が形成されている。
【００２０】
ベース６０の上壁６１には、下方に延在するガイド部６２が眼科測定本体５０の第１貫通穴５３に対応する位置に設けられている。ガイド部６２は、第２貫通穴６３を備えるとともに、その下端に第１受け面６４を備える。眼科測定本体５０の底壁５１とベース６０の上壁６１との間には、両者が接触しないように所定のギャップが設けられている。
【００２１】
ベース６０は、検者側の側面にストッパーピン７０をストッパーピン受け部材８０に取り付けるために下部が内側に窪んだ取り付け凹部９４を備える。ストッパーピン受け部材８０は、丸い線材を略Ｌ字状折り曲げたものであって、ベース６０の上壁６１から下方に延在する支持部材９５の下端部においてネジで固定・支持されて水平方向に延在する支持部８３と、眼科測定本体５０の第１貫通穴５３に向かって垂直上向きに延在する円柱状の垂直挿入部８２とから構成される。
【００２２】
ロック手段としてのストッパーピン７０は、下方に行くほど外径が大きくなるように円柱体が同心円状に多段に積み重ねられた段差構造体である。この段差構造を備えたストッパーピン７０は、上から順に、それぞれ、表面に外ネジ７５が形成されたネジ突起７４、ベース６０のガイド部６２の内面に対して上下に摺動する摺動部７６、ベース部７９を少なくとも備える。上端部のネジ突起７４の外ネジ７５は、第１貫通穴５３の内ネジ５４と螺合する。ベース部７９は、上部に第１ストッパー面７１を有し、ストッパーピン７０が持ち上げられると、第１ストッパー面７１がベース６０の第１受け面６４に当接してストッパーピン７０の移動距離を規定する。また、ベース部７９は底面に第３ストッパー面７３を備え、第３ストッパー面７３がストッパーピン受け部材８０の第２受け部８１に当接することによって、ストッパーピン７０はストッパーピン受け部材８０で受け止められる。また、ストッパーピン７０は、その中心部に中心盲穴７８を有している。この中心盲穴７８は、ストッパーピン７０の底面７３が上向きに開口した円筒状空洞であり、円柱状の垂直挿入部８２に挿通されるように寸法構成されている。
【００２３】
次に、上記ストッパー構造９０によるロック及びロック解除方法を図４にしたがって説明する。
【００２４】
レフラクト・ケラトメータを用いて被検眼の光学特性を測定する場合、図４(Ｂ)に示すように、ストッパー構造９０をアンロック状態にして、眼科測定本体５０がベース６０に対して前後、左右に動くようにする。測定終了後しばらくの間使用しないとき、又はレフラクト・ケラトメータを移動させるときには、眼科測定本体５０がベース６０に対して自在に動かないようにロック状態にする必要がある。そこで、使用者は、ストッパーピン７０のベース部７９をつまんで、垂直挿入部８２及びガイド部６２に沿ってストッパーピン７０を持ち上げる。ストッパーピン７０のネジ突起７４が第１貫通穴５３の下端に接近したあと、ベース部７９の第２ストッパー面７２がガイド部６２の第１受け面６４に当接するまでストッパーピン７０を回転させる。その結果、ネジ突起７４の外ネジ７５は、図４ (Ａ)に示すように、第１貫通穴５３の内ネジ５４と螺合し、眼科測定本体５０がベース６０に対してロック状態となって固定される。
【００２５】
ストッパーピン７０を上記と反対方向に回転させると、ストッパーピン７０が下がり、ある位置で、ネジ突起７４の外ネジ７５と第１貫通穴５３の内ネジ５４との間の螺合が解除される。螺合が解除されたあと、使用者がベース部７９をつまんでいた手を離すと、ストッパーピン７０は垂直挿入部８２及びガイド部６２にガイドされながら自重で落下する。そのあと、ストッパーピン７０の第３ストッパー面７３がストッパーピン受け部材８０の第２受け部８１に当って、図４(Ｂ)に示すように、ストッパーピン７０がストッパーピン受け部材８０で受け止められ、眼科測定本体５０がベース６０に対してアンロック状態となる。その後、使用者は、ストッパーピン７０が眼科測定本体５０の底壁５１に接触することなく、眼科測定本体５０をベース６０に対して自在に動かすことができる。
【００２６】
なお、本発明は、上記実施形態に限定されるものではなく、その他種々の態様で実施可能である。例えば、ストッパーピン受け部材８０は、支持部８３をベース６０の側壁にネジで固定・支持する構成にすることができる。また、ストッパーピン受け部材８０は、眼科測定本体５０の第１貫通穴５３に向かって垂直に延在する垂直挿入部８２と、第３ストッパー面７３を受け止めることができる面積を有する鍔状の支持部８３とからなり、支持部８３がベース６０の取り付け凹部９４に設けられた底壁に取り付けられた構成にすることができる。さらに、ストッパーピン７０のベース部７９の底面７３が収納される大きさの凹部を有する底壁を、ベース６０の取り付け凹部９４に設けて、その凹部の中心から垂直挿入部８２を直立させる構成にすることもできる。
【図面の簡単な説明】
【図１】  従来の眼科測定装置を示し、（Ａ）は装置全体を示す正面図、（Ｂ）は要部拡大一部破断図である。
【図２】  図１の装置に設けられたストッパー構造を示す要部断面図である。
【図３】  本発明の一実施形態に係る眼科測定装置を示し、（Ａ）は装置全体を示す正面図、（Ｂ）は要部拡大一部破断図である。
【図４】  図３の装置に設けられたストッパー構造を示す要部断面図である。（Ａ）はロック状態、（Ｂ）はアンロック状態をそれぞれ示す。
【符号の説明】
５０  眼科測定本体
５１  底壁
５３  第１貫通穴
５４  内ネジ
６０  ベース
６１  上壁
６２  ガイド部
６３  第２貫通穴
６４  第１受け面
７０  ストッパーピン
７１  第1ストッパー面
７２  第２ストッパー面
７３  第３ストッパー面
７４  ネジ突起
７５  外ネジ
７６  摺動部
７８  中心盲穴
７９  ベース部
８０  ストッパーピン受け部材（ストッパーピン支持手段）
８１  第２受け部
８２  垂直挿入部
８３  支持部
９０  ストッパー構造
９１  光学測定部
９２  ディスプレイ
９３  ジョイスティック
９４  取り付け凹部
９５  支持部材
【図１】
0004213305.tif 000002
【図２】
0004213305.tif 000003
【図３】
0004213305.tif 000004
【図４】
0004213305.tif 000005